(57)【要約】【課題】設置場所に適合したサイズ、あるいは所望する量を栽培するために必要な任意のサイズに容易に組立てることができると共に、分解してコンパクトに収容することで容易に持ち運んで移設することができる栽培装置を提供する。【解決手段】本発明の水耕栽培装置Ａは、架台脚１、四本の受け部材２、栽培用ベッド３から成る。【選択図】図１
2020089282.tif 000002
【特許請求の範囲】
【請求項１】
少なくとも二本の脚部材、該脚部材を直接的又は間接的に繋ぐように着脱可能に接続されている渡し部材を有し、同渡し部材を略平行にして所要間隔で並設される所要数の架台脚と、
該各架台脚の前記渡し部材間に、同各架台脚の並設方向と略平行に、前記渡し部材に対して直接的又は間接的に着脱可能に接続されると共に、互いに直接的又は間接的に着脱可能な所要数の受け部材分体から構成される所要数の受け部材と、
該受け部材に載置又は取り付けられると共に、所要数のベッド分体から構成される栽培用ベッドとを備える
栽培装置。
【請求項２】
前記脚部材に対して直接的又は間接的に着脱可能に接続されて同脚部材を繋ぐと共に、前記渡し部材と離間して設けられた脚支持部材を備える
請求項１に記載の栽培装置。
【請求項３】
前記架台脚は、同各架台脚の並設方向と略平行に、かつ前記脚部材に対して直接的又は間接的に着脱可能に設けられた架台脚連設部材によって、互いに連設されている
請求項１または請求項２に記載の栽培装置。
【請求項４】
前記渡し部材は、前記脚部材に、略Ｔ字状の継手によって連結されている
請求項１に記載の栽培装置。
【請求項５】
前記脚支持部材は、前記脚部材に、二本の円管を略直角に重ね合わせて固定された継手によって連結されている
請求項２に記載の栽培装置。
【請求項６】
前記架台脚連設部材は、前記脚部材に、二本の円管を略直角に重ね合わせて固定された継手によって連結されている
請求項３に記載の栽培装置。
【請求項７】
前記受け部材分体は、前記渡し部材に、二本の円管を略直角に重ね合わせて固定された継手によって連結されている
請求項１に記載の栽培装置。
【請求項８】
少なくとも二本のパイプ状の脚部材、該脚部材を直接的又は間接的に繋ぐように着脱可能に接続されているパイプ状の渡し部材を有し、同渡し部材を略平行にして所要間隔で並設される架台脚と、
該各架台脚の前記渡し部材間に、同各架台脚の並設方向と略平行に、前記渡し部材に対して直接的又は間接的に着脱可能に接続されると共に、互いに直接的又は間接的に着脱可能な所要数のパイプ状の受け部材分体から構成される所要数のパイプ状の受け部材と、
該受け部材に載置又は取り付けられると共に、所要数のベッド分体から構成される栽培用ベッドとを備える
栽培装置。
【発明の詳細な説明】
【技術分野】
【０００１】
本発明は栽培装置に関する。詳しくは、設置場所に適合したサイズ、あるいは所望する量を栽培するために必要な任意のサイズに容易に組立てることができると共に、分解してコンパクトに収容することで容易に持ち運んで移設することができる栽培装置に関するものである。
【背景技術】
【０００２】
屋内での栽培は、周囲の環境に左右されず年間を通して安定的に植物体を栽培し、収穫することができる。このため、近年では、社屋や家屋の空きスペースを利用して、事業としてあるいは趣味として植物を栽培し収穫する企業や個人が増えている。
【０００３】
しかし、従来の屋内での栽培は、養液や日照時間の管理、植物体の収穫及び播種の作業は全て人手を要していたため、作業者にとって大きな負担となっていた。
【０００４】
そこで、これを解消するため、作業工程を自動化した特許文献１に記載された「水耕栽培装置およびこれを用いた水耕栽培キット」が提案されている。特許文献１の発明によれば、植物体を水耕栽培により連続的かつ効率的に栽培して収穫することができる。
【先行技術文献】
【特許文献】
【０００５】
【特許文献１】特開２０１１−  ８３２３０号公報
【特許文献２】特開２０１８−  ２９５０１号公報
【発明の概要】
【発明が解決しようとする課題】
【０００６】
しかしながら、特許文献１の水耕栽培装置は、大掛かりな装置であるため、社屋や家屋の限られたスペースを利用することができない。また、特許文献１の水耕栽培装置は、数人であるいは個人で設置することは容易ではなく、水耕栽培装置の設置に当たり専門の業者に依頼する必要がある。そして、大掛かりな装置であるため、植物工場のような大規模な栽培、収穫ではなく、少量の収穫量を望む場合には適当ではない。
【０００７】
このような状況を鑑み、場所をとらず、また設置に手間がかからず、少量の植物体の栽培及び収穫を可能とした、特許文献２の「一般家庭向け簡易水耕栽培装置」が提案されている。この特許文献２の簡易水耕栽培装置によれば、一般家庭で消費可能な、少量の野菜を栽培し、収穫することができ、またプランタの設置あるいは持ち運びも容易である。
【０００８】
しかしながら、収穫量を、特許文献２の簡易水耕栽培装置で収穫できる量よりも多く、かつ特許文献１よりも少ない収穫量を望む場合には、双方の水耕栽培装置では対応できなかった。
【０００９】
本発明は以上の点に鑑みて創案されたものであり、設置場所に適合したサイズ、あるいは所望する量を栽培するために必要な任意のサイズに容易に組立てることができると共に、分解してコンパクトに収容することで容易に持ち運んで移設することができる栽培装置を提供することを目的とする。
【課題を解決するための手段】
【００１０】
上記の目的を達成するために、本発明の栽培装置は、少なくとも二本の脚部材、該脚部材を直接的又は間接的に繋ぐように着脱可能に接続されている渡し部材を有し、同渡し部材を略平行にして所要間隔で並設される所要数の架台脚と、
該各架台脚の前記渡し部材間に、同各架台脚の並設方向と略平行に、前記渡し部材に対して直接的又は間接的に着脱可能に接続されると共に、互いに直接的又は間接的に着脱可能な所要数の受け部材分体から構成される所要数の受け部材と、
該受け部材に載置又は取り付けられると共に、所要数のベッド分体から構成される栽培用ベッドとを備える。
【００１１】
ここで、架台脚が、少なくとも二本の脚部材、脚部材を直接的又は間接的に繋ぐように接続されている渡し部材を有することによって、架台脚を設置面上に立脚させることができる。
【００１２】
また、脚部材に着脱可能に接続されている渡し部材によって、渡し部材と脚部材とを分解して容易に持運んで移設することができる。
【００１３】
また、所要数の架台脚が、渡し部材を略平行にして所要間隔で並設されることによって、架台脚の数に応じて栽培装置を設置場所に適合したサイズ、あるいは所望する量を栽培するために必要な任意のサイズに組立てることができる。
【００１４】
また、受け部材を構成する所要数の受け部材分体が、各架台脚の渡し部材間に、各架台脚の並設方向と略平行に接続されることによって、並設された架台脚の数に応じて渡し部材間に所要数の受け部材分体を繋いで、栽培装置を設置場所に適合したサイズ、あるいは所望する量を栽培するために必要な任意のサイズに組立てることができる。
【００１５】
また、受け部材分体が、渡し部材に直接的又は間接的に着脱可能に接続されることによって、受け部材分体と渡し部材とを分解して容易に持運んで移設することができる。
【００１６】
また、受け部材が、互いに直接的又は間接的に着脱可能な所要数の受け部材分体から構成されることによって、受け部材分体の数を増減することにより、受け部材の長さを調整することができ、栽培装置を設置場所に適合したサイズ、あるいは所望する量を栽培するために必要な任意のサイズに組立てることができる。
【００１７】
また、受け部材が所要数設けられることによって、後述する栽培用ベッドが載置可能な面領域が形成されるので、安定して栽培用ベッドを載置又は取り付けることができる。
【００１８】
また、受け部材に載置又は取り付けられる栽培用ベッドによって、受け部材を介して架台脚上に栽培用ベッドを載置することができる。
【００１９】
また、栽培用ベッドが所要数のベッド分体から構成されることによって、ベッド分体の数を増減することにより、栽培用ベッドの長さを調整することができ、栽培装置を設置場所に適合したサイズ、あるいは所望する量を栽培するために必要な任意のサイズに組立てることができる。
【００２０】
また、栽培装置が、脚部材に接続されて脚部材を繋ぐと共に、渡し部材と略平行に設けられた脚支持部材を備える場合には、栽培用ベッド、栽培時の水や配管の重みによる架台脚の変形を生じにくくすることができる。
【００２１】
また、脚支持部材が、脚部材に対して直接的又は間接的に着脱可能に設けられた場合には、脚支持部材と脚部材とを分解して容易に持運んで移設することができる。
【００２２】
また、架台脚が、各架台脚の並設方向と略平行に設けられた架台脚連設部材によって、互いに連設されている場合には、所要数の架台脚を互いに連設することができるので、所要数が並設された架台脚全体の強度を増すことができる。
【００２３】
また、架台脚連設部材が、脚部材に対して直接的又は間接的に着脱可能に設けられた場合には、架台脚連設部材と脚部材とを分解して容易に持運んで移設することができる。
【００２４】
また、渡し部材が、脚部材に、略Ｔ字状の継手によって連結されている場合には、円管に渡し部材と脚部材を嵌入させることで容易に組み立てることができる。
【００２５】
また、脚支持部材が、脚部材に、二本の円管を略直角に重ね合わせて固定された継手によって連結されている場合には、円管に脚支持部材と脚部材を嵌入させることで容易に組み立てることができる。
【００２６】
また、架台脚連設部材が、脚部材に、二本の円管を略直角に重ね合わせて固定された継手によって連結されている場合には、円管に架台脚連設部材と脚部材を嵌入させることで容易に組み立てることができる。
【００２７】
また、受け部材分体が、渡し部材に、二本の円管を略直角に重ね合わせて固定された継手によって連結されている場合には、円管に構成体と渡し部材を嵌入させることで容易に組み立てることができる。
【００２８】
また、上記の目的を達成するために、本発明の栽培装置は、少なくとも二本のパイプ状の脚部材、該脚部材を直接的又は間接的に繋ぐように着脱可能に接続されているパイプ状の渡し部材を有し、同渡し部材を略平行にして所要間隔で並設される架台脚と、該各架台脚の前記渡し部材間に、同各架台脚の並設方向と略平行に、前記渡し部材に対して直接的又は間接的に着脱可能に接続されると共に、互いに直接的又は間接的に着脱可能な所要数のパイプ状の受け部材分体から構成される所要数のパイプ状の受け部材と、
該受け部材に載置又は取り付けられると共に、所要数のベッド分体から構成される栽培用ベッドとを備える。
【００２９】
ここで、架台脚が、少なくとも二本の脚部材、脚部材を直接的又は間接的に繋ぐように接続されている渡し部材を有することによって、架台脚を設置面上に立脚させることができる。
【００３０】
また、脚部材に着脱可能に接続されている渡し部材によって、渡し部材と脚部材とを分解して容易に持運んで移設することができる。
【００３１】
また、所要数の架台脚が、渡し部材を略平行にして所要間隔で並設されることによって、架台脚を所要数並設して、栽培装置を設置場所に適合したサイズ、あるいは所望する量を栽培するために必要な任意のサイズに組立てることができる。
【００３２】
また、受け部材を構成する受け部材分体が、各架台脚の渡し部材間に、各架台脚の並設方向と略平行に接続されることによって、並設された架台脚の数に応じて渡し部材間に受け部材分体を繋いで、栽培装置を設置場所に適合したサイズ、あるいは所望する量を栽培するために必要な任意のサイズに組立てることができる。
【００３３】
また、受け部材分体が、渡し部材に対して直接的又は間接的に着脱可能に接続されることによって、受け部材分体と渡し部材とを分解して容易に持運んで移設することができる。
【００３４】
また、受け部材が、互いに直接的又は間接的に着脱可能な所要数の受け部材分体から構成されることによって、受け部材分体の数を増減することにより、受け部材の長さを調整することができ、栽培装置を設置場所に適合したサイズ、あるいは所望する量を栽培するために必要な任意のサイズに組立てることができる。
【００３５】
また、受け部材が所要数設けられることによって、後述する栽培用ベッドが載置可能な面領域が形成されるので、安定して栽培用ベッドを載置又は取り付けることができる。
【００３６】
また、受け部材に載置又は取り付けられる栽培用ベッドによって、受け部材を介して架台脚上に栽培用ベッドを載置することができる。
【００３７】
また、栽培用ベッドが所要数のベッド分体から構成されることによって、ベッド分体の数を増減することにより、栽培用ベッドの長さを調整することができ、栽培装置を設置場所に適合したサイズ、あるいは所望する量を栽培するために必要な任意のサイズに組立てることができる。
【００３８】
また、脚部材、渡し部材、受け部材分体及び受け部材がパイプ状に形成されていることにより、栽培装置全体を軽量化することができ、分解して容易に持運んで移設することができる。
【発明の効果】
【００３９】
本発明に係る栽培装置は、設置場所に適合したサイズ、あるいは所望する量を栽培するために必要な任意のサイズに容易に組立てることができると共に、分解してコンパクトに収容することで容易に持ち運んで移設することができるものとなっている。
【図面の簡単な説明】
【００４０】
【図１】本発明に係る水耕栽培装置の一実施の形態を示す分解説明図である。
【図２】（ａ）は、本発明に係る水耕栽培装置の端部組立脚の説明図であり、（ｂ）は、本発明に係る水耕栽培装置の中間組立脚の説明図である。
【図３】（ａ）は、ベッド本体の端部を示す説明図であり、（ｂ）は、ベッド本体の端部に設けられた切欠き部を示す説明図である。
【図４】シートで覆われたベッド本体上での養液の流れを示す概略説明図である。
【図５】養液を循環させる養液循環装置を示した説明図である。
【図６】本発明に係る水耕栽培装置の設置の手順を示すフローチャートである。
【発明を実施するための形態】
【００４１】
以下、本発明の実施の形態について図１乃至図５を参照しながら説明し、本発明の理解に供する。
【００４２】
水耕栽培装置の一例である水耕栽培装置Ａは、図１に示すように、架台脚１、四本の受け部材２、栽培用ベッド３から成る。
【００４３】
架台脚１について説明する。
架台脚１は、図２（ａ）に示す、二つの端部架台脚１０と、図２（ｂ）に示す、各端部架台脚１０の間に並設される九つの中間架台脚１１とから成る。
【００４４】
図２（ａ）及び（ｂ）に示すように、端部架台脚１０及び中間架台脚１１のいずれも、二本の脚部材１２、１２、渡し部材１３、二本の脚部材１２、１２を支持する脚支持部材１４を有する。
【００４５】
また、継手の一例として、脚部材１２と渡し部材１３とを連結するジョイントＪ１、Ｊ１、脚部材１２と脚支持部材１４とを連結するジョイントＪ２、Ｊ２、及び脚部材１２と、架台脚１を連結する架台脚連設部材１５とを連結するジョイントＪ３、Ｊ３も取り付けられている。なお、ジョイントＪ１は、二本の円管が互いに連通した略Ｔ字状のジョイントであるが、ジョイントＪ２、Ｊ３及び後述するＪ４はいずれも二本の円管を略直角に交差させた状態で溶接して固定されている。即ち、ジョイントＪ１は、二本の円管の中心線が略直角に交差するのに対し、Ｊ２乃至Ｊ４は二本の円管の中心線は交差しない点で異なる。
【００４６】
なお、ジョイントＪ１乃至Ｊ４の形状は二つの円管を交差させたものに限定されるものではなく、連結する脚部材や渡し部材の形状に合わせて、断面が四角形状や楕円状のものも考えられる。或いは、例えば、脚部材と一体に設けられ、脚部材の上端から略直角に水平方向に伸びた差し込み部材を渡し部材の一端に差し込むことで脚部材と渡し部材を連結することも考えられる。
【００４７】
具体的には、ジョイントＪ１は、脚部材１２の上側の端部を嵌入する縦管Ｊ１ａ、縦管Ｊ１ａと連通し、渡し部材１３の端部（図示せず）を嵌入する横管Ｊ１ｂから成る。ジョイントＪ１により、脚部材１２と渡し部材１３の中心線が略直角に交わるので、脚部材１２と渡し部材１３を相互にずらすことなく同一面上で連結することができる。
【００４８】
また、ジョイントＪ２は、脚部材１２に取付けられる縦管Ｊ２ａ、及び脚支持部材１４の端部を嵌入する横管Ｊ２ｂより成る。縦管Ｊ２ａと横管Ｊ２ｂは連通していないので、嵌入される脚部材１２と脚支持部材１４とが当接することはなく、容易に組立てることができる。
【００４９】
また、ジョイントＪ３は、脚部材１２に取付けられる縦管Ｊ３ａ、及び架台脚連設部材１５が嵌入される横管Ｊ３ｂより成る。縦管Ｊ３ａと横管Ｊ３ｂは連通していないので、嵌入される脚部材１２と架台脚連設部材１５とが当接することはなく、容易に組立てることができる。
【００５０】
また、ジョイントＪ４は、渡し部材１３に取付けられる水平管Ｊ４ａ、及び後述する受け部材２が嵌入される横管Ｊ４ｂより成る。水平管Ｊ４ａと横管Ｊ４ｂは連通していないので、嵌入される渡し部材１３と受け部材２とが当接することはなく、容易に組立てることができる。
【００５１】
そして、脚部材１２、１２の上端で、ジョイントＪ１、Ｊ１の縦管Ｊ１ａ、Ｊ１ａが脚部材１２、１２を嵌め込んでいる。また、脚部材１２、１２の接地面寄りには、ジョイントＪ２、Ｊ２の縦管Ｊ２ａ、Ｊ２ａが脚部材１２、１２を嵌め込んでおり、ジョイントＪ２、Ｊ２よりもさらに接地面寄りには、ジョイントＪ３、Ｊ３の縦管Ｊ３ａ、Ｊ３ａが脚部材１２、１２を嵌め込んでいる。
【００５２】
脚部材１２、１２は、外径が約２５．４ｍｍの中空のアルミニウム製のパイプ状の素材により形成されている。また、脚部材１２、１２の接地面側に設けられ、高さを調整可能なアジャスター１２a、１２aにより、脚部材１２、１２の接地面から上端までの高さは約７００ｍｍに設定されている。なお、脚部材１２、１２の寸法は、上記の寸法に限られるわけではなく、水耕栽培装置のサイズに合わせて適宜変更することができる。
【００５３】
そして、渡し部材１３は、外径が約２５．４ｍｍの中空のアルミニウム製のパイプ状の素材で形成されており、長さは約１３４０ｍｍである。渡し部材１３のその両端（図示せず）はそれぞれ、脚部材１２、１２の上端に取付けられたジョイントＪ１、Ｊ１の横管Ｊ１ｂ、Ｊ１ｂに挿入されて、脚部材１２、１２に間接的に連結されている。なお、渡し部材１３の寸法は、上記の寸法に限られるわけではなく、水耕栽培装置のサイズに合わせて適宜変更することができる。
【００５４】
また、脚支持部材１４は、外径が約２５．４ｍｍの中空のアルミニウム製のパイプ状の素材で形成されており、長さは約１３４０ｍｍである。脚支持部材１４の両端（図示せず）をそれぞれ、脚部材１２、１２の接地面側に取付けられたジョイントＪ２、Ｊ２の横管Ｊ２ｂ、Ｊ２ｂに挿入して、脚部材１２、１２に間接的に連結されている。
【００５５】
なお、脚支持部材１４の寸法は、上記の寸法に限られるわけではなく、水耕栽培装置のサイズに合わせて適宜変更することができる。また、脚支持部材１４を設けないことも可能であるが、脚支持部材１４を設けることによって、栽培用ベッド３に養液Ｙが満たされた場合の架台脚１の耐荷重性を向上させることができるので、脚支持部材１４を設けた方が好ましい。
【００５６】
また、架台脚連設部材１５は外径が約２５．４ｍｍの中空のアルミニウム製のパイプ状の素材で形成されており、長さは約１５メートルである。そして、架台脚連設部材１５は、長さ約１５００ｍｍの１０本の脚連設分体１５ａを連設して形成される。具体的には、脚連設分体１５ａは、隣設する端部架台脚１０と中間架台脚１１の間、及び隣接する中間架台脚１１の間にそれぞれのジョイントＪ３、Ｊ３の横管Ｊ３ｂ、Ｊ３ｂに挿入されて、脚部材１２、１２に間接的に連結されている。なお、脚連設体１５の寸法は、上記の寸法に限られるわけではなく、水耕栽培装置のサイズに合わせて適宜変更することができる。
【００５７】
また、架台脚連設部材１５によって連設された架台脚１を補強するために、両端部に配置された端部架台脚１０と、これに隣設する中間架台脚１１の脚部材１２に筋交い用のパイプＷを設置することも考えられる。
【００５８】
なお、架台脚連設部材１５の寸法は、上記の寸法に限られるわけではなく、水耕栽培装置のサイズに合わせて適宜変更することができる。また、架台脚連設部材１５を設けないことも可能であるが、架台脚連設部材１５を設けることによって架台脚１を一体に連結させることができ、栽培用ベッド３に養液Ｙが満たされた場合の架台脚１全体での耐荷重性を向上させることができるので、架台脚連設部材１５を設ける方が好ましい。
【００５９】
このように、二台の端部架台脚１０及び九台の中間架台脚１１は、ジョイントＪ１、Ｊ２、Ｊ３を用いて、容易に組立てることができる。また、端部架台脚１０及び中間架台脚１１を分解する際は、ジョイントＪ１、Ｊ２、Ｊ３から脚部材１２、渡し部材１３、脚支持部材１４及び脚連設分体１５ａを抜くことで、端部架台脚１０及び中間架台脚１１を容易に分解することができる。
【００６０】
また、二台の端部架台脚１０、１０の渡し部材１３、１３にはそれぞれ、四本の受け部材２を連結するためのジョイントＪ４、Ｊ４、Ｊ４、Ｊ４が、所定の幅に離間して設けられている。そして、各受け部材２は、その両端部を各ジョイントＪ４の横管Ｊ４ｂに挿入して、各端部架台脚１０に連結され、中間部分が各渡し部材１３の上に配置されている。
【００６１】
また、各受け部材２は、互いに着脱可能な十本の受け部材分体２０から成る。受け部材分体２０の一端は先細りの形状になっており、この先細りの形状である一端を他の受け部材分体２０の他端に貫入することで、受け部材分体２０が長さ方向に連結されて受け部材２が形成される。
【００６２】
なお、受け部材分体２０は、相互に離間している場合もあれば、離間せずに相互に接している場合も考えられる。ここで、相互に離間している場合には、受け部材分体２０相互の位置を緻密に合わせる必要がないので、短い時間で受け部材分体２０を設置することができる。また、受け部材分体２０が相互に離間してせず接している場合には、周知の固定手段を用いる事で、受け部材分体２０が相互に離間している場合よりも、受け部材分体２０をより強固に固定することができる。
【００６３】
また、受け部材分体２０は、隣設する端部架台脚１０と中間架台脚１１、及び隣設する中間架台脚１１の間に掛け渡され、受け部材分体２０の連結部分は、各中間架台脚１１の渡し部材１３上に位置している。なお、受け部材２の中間部分は、渡し部材１３上に配置される際、フックバンドＦなどの固定具を用いて渡し部材１３上に固定される。
【００６４】
このように、受け部材２は、十本の受け部材分体２０を連結し、ジョイントＪ４を用いて端部架台脚１０に連結することで、容易に組立てることができる。また、受け部材２を端部架台脚１０から取り外す際は、ジョイントＪ４から受け部材２の端部を抜くことで容易に取り外すことができる。
【００６５】
また、架台脚１上に、四本の受け部材２を介して栽培用ベッド３が載置されている。栽培用ベッド３は、発泡プラスチックで形成された、二十四枚のベッド分体３０から成る。また、栽培用ベッド３は、ベッド分体３０を一列に十二枚並べたものを二列配置して形成されている。ベッド分体３０は、連設方向の長さは約１２５０ｍｍで、幅方向の長さは約６５０ｍｍである。また、ベッド分体３０は、発泡プラスチックの素材に限られるものではなく、使用に耐える充分な強度で軽量であれば、他の材料でもよい。
【００６６】
なお、ベッド分体３０は、相互に離間している場合もあれば、離間せずに相互に接している場合も考えられる。ここで、相互に離間している場合には、ベッド分体３０相互の位置を緻密に合わせる必要がないので、短い時間でベッド分体３０を設置することができる。また、ベッド分体３０が相互に離間してせず接している場合には、周知の固定手段を用いる事で、ベッド分体３０が相互に離間している場合よりも、ベッド分体３０をより強固に固定することができる。
【００６７】
なお、後述する給水ヘッド３３１が設けられた列を列３Ａとし、後述する排水管３４が設けられた列を列３Ｂとする。給水ヘッド３３１から給水された養液Ｙは、列３Ａを流れ、後述する切欠き部３１から列３Ｂに流れ込み、配水管３４から排出される。
【００６８】
また、連設される方向に隣設するベッド分体３０、３０は、その縁に設けられた互いの凹部（図示せず）と凸部（図示せず）を嵌合させて連結される。なお、隣設するベッド分体３０は互いに嵌合させて連結するものに限られるのではなく、他の周知の手段によって連結することも可能である。あるいは単にベッド分体３０を隙間なく並設することも考えられる。
【００６９】
また、ベッド分体３０の底面には、図３（ａ）に示すように、受け部材２が嵌入する２本の溝部３０ａ、３０ａが、ベッド分体３０の連設方向と略平行に設けられている。栽培用ベッド３の溝部３０ａ、３０ａに、２本の受け部材２をそれぞれ嵌入させることで、栽培用ベッド３は、受け部材２を介して架台脚１に着脱可能に取付けられる。なお、図３（ａ）では、後述する堰部材３０ｄを省略している。
【００７０】
また、図３（ｂ）に示すように、ベッド分体３０の対向する二つの縁３０ｂ、３０ｂは、二つの縁３０ｂ、３０ｂの間に位置する水受け面３０ｃから２０ｍｍほど立設している。列３Ａの一端側にあるベッド分体３０の縁部３０ｂと、列３Ｂの一端側にあるベッド分体３０の縁３０ｂを、所定の長さに切り欠かれて形成された切欠き部３１が設けられている。
【００７１】
また、列３Ａ及び列３Ｂの両端側にあるベッド分体３０、３０の縁３０ｂ、３０ｂに直交する位置に、縁３０ｂ、３０ｂと略同一の高さの堰部材３０ｄを設ける。これにより、養液Ｙの流出を防ぐことができる。
【００７２】
このように、栽培用ベッド３は、二十四枚のベッド分体３０を連結することで、容易に組立てることができる。また、栽培用ベッド３を分解する際は、ベッド分体３０同士の嵌合部分を取り外し、同時に受け部材２と各ベッド分体３０の溝部３０ａ、３０ａとの嵌合部分を取り外すことで容易に分解することができる。
【００７３】
また、図４に示すように、栽培用ベッド３は防水性のシートＳで覆われており、後述する給水ヘッド３３１から給水された、シートＳ上を流れる養液Ｙが液漏れすることを抑止することができる。
【００７４】
また、シートＳが敷かれたベッド分体３０の列３Ａを流れる養液Ｙが、切欠き部３１から列３Ｂへと流入するので、列３Ｂでは、列３Ａを流れる養液Ｙの流れと逆方向に養液Ｙが流れる。これにより、栽培用ベッド３全体にむらなく養液Ｙをいきわたらせることができる。
【００７５】
また、図５に示すように、栽培用ベッド３の近傍に置かれ、養液Ｙが貯留された養液タンク３２と、養液タンク３２内には、養液Ｙを栽培用ベッド３のシートＳ上に給水管３３０を用いて汲み上げる循環ポンプ３３とが設けられた、養液Ｙを循環させる養液循環装置Ｃが設置されている。循環ポンプ３３から汲み上げられた養液Ｙは、給水管３３０を通って栽培用ベッド３まで汲み上げられ、給水管３３０の先端に設けられた給水ヘッド３３１から列３Ａを覆うシートＳ上に給水される。
【００７６】
また、塩化ビニール製で、外径６０ｍｍ、長さ２００ｍｍの円柱形の排水管３４が、栽培用ベッド３の一端側にベッド分体３０を貫通して設けられている。排水管３４は、周囲のシートＳを挟み込んで、シートＳと水密に設けられている（図示せず）ので、排水管３４の流入口３４ａ周辺から養液Ｙが漏れ出すことはない。
【００７７】
また、排水管３４の鉛直下方には養液タンク３２が配置されており、流入口３４ａから流入し、流出口３４ｂから流出する養液Ｙは、養液タンク３２内に落下、貯留されて、循環ポンプ３３により再度汲み上げられ、栽培用ベッド３上を流れる。
【００７８】
養液Ｙを、循環ポンプ３３を用いて循環させることで、養液Ｙを栽培用ベッド３上で停滞させることなく、常に循環する養液Ｙを、栽培用ボードＢで栽培される植物体Ｐに提供することができる。また、養液Ｙを新しいものに交換する場合には、全ての養液Ｙを養液タンク３２内に流入させた後、新しい養液タンク３２内の養液Ｙを、循環ポンプ３３を用いて循環させれば、容易に新しい養液Ｙと交換することができる。
【００７９】
このように、水耕栽培装置Ａは、架台脚１、受け部材２、栽培用ベッド３をそれぞれ容易に組立て、分解することができるだけでなく、架台脚１、受け部材２に中空のパイプを用いており、栽培用ベッド３は発泡素材で形成されていることから軽量であり、容易に持運んで移設することができる。
【００８０】
なお、本実施の形態においては、本願発明の栽培装置を水耕栽培装置として説明したが、本願発明の栽培装置は水耕栽培に限られるものではなく、栽培用の土を用いて植物を栽培する土耕栽培としても用いる事ができる。
【００８１】
〔水耕栽培装置Ａの組立方法〕
本発明に係る水耕栽培装置Ａは、図６に示す手順（ＳＴ１〜ＳＴ９）により作られる。
工程１；高さ調整工程（ＳＴ１）
二十二本の脚部材１２の高さを、アジャスター１２aを用いて約７００ｍｍに調整する。このとき、図１に示すように、脚部材１２に架渡される渡し部材１３が、ジョイントＪ１、Ｊ１を用いて、一組の脚部材１２，１２に連結される際、水平、かつ各渡し部材１３が同一の高さに位置するように調整する。
【００８２】
工程２；ジョイントＪ１、Ｊ２及びＪ３取付け工程（ＳＴ２）
高さ調整工程ＳＴ１で高さが調整された脚部材１２の接地面側近傍にジョイントＪ１、Ｊ２、Ｊ３を取付ける。図２に示すように、ジョイントＪ１は、脚部材１２の上部に取付けられ、ジョイントＪ２は、脚部材１２の接地面よりに取付けられ、ジョイントＪ３は、ジョイントＪ２よりもさらに接地面側に取付けられる。
【００８３】
なお、ジョイントＪ３は、一方の脚部材１２に取付けられるジョイントＪ３と、他方の脚部材１２に取付けられるジョイントＪ３では、縦管Ｊ３ａに対する横管Ｊ３ｂの位置が対称になっている。これにより、脚部材１２、１２にそれぞれ取付けられる、架台脚連設部材１５、１５を架台脚１の内側に取付けることができる。
【００８４】
工程３；中間架台脚組立工程（ＳＴ３）
まず、２本の脚部材１２、１２に、ジョイントＪ１、Ｊ１を用いて渡し部材１３を取付けてネジで固定する。次に、ジョイントＪ２、Ｊ２に脚支持部材１４を取付けてネジで固定する。このようにして、九台の中間架台脚１１を組立てる。
【００８５】
工程４；端部架台脚組立工程（ＳＴ４）
上記工程１乃至工程３（ＳＴ１乃至ＳＴ３）の工程を繰り返し、中間架台脚１１と同一の組立脚をさらに二台組立てる。
そして、渡し部材１３に四つのジョイントＪ４を取り付けて、それぞれを端部架台脚１０とする。ジョイントＪ４の水平管Ｊ４ａには渡し部材１３が挿入され、横管Ｊ４ｂには受け部材２の端部（図示せず）が挿入される。
【００８６】
工程５；組立脚連設工程（ＳＴ５）
九台の中間架台脚１１を互いに等間隔、かつ平行になるように配置し、並設方向の両端に端部架台脚１０を配置して並設する。また、隣設する端部架台脚１０と中間架台脚１１、及び隣設する中間架台脚１１の脚部材１２に取付けられているジョイントＪ３の横管Ｊ３ｂに脚連設分体１５ａを挿入させてネジで固定し、隣設する端部架台脚１０と中間架台脚１１、及び隣設する中間架台脚１１を連設する。これにより、架台脚１は、一体として連設される。
【００８７】
工程６；受け部材取付け工程（ＳＴ６）
十本の受け部材分体２０を連結して形成した受け部材２を四本作成する。このとき、受け部材分体２０の一端は先細りの形状になっており、この先細りの形状である一端を他の受け部材分体２０の他端に貫入することで、受け部材分体２０が長さ方向に連結されて受け部材２が形成される。
【００８８】
そして、四本の受け部材２それぞれの端部（図示せず）を端部架台脚１０の渡し部材１３に取付けられたジョイントＪ４に挿入してネジで固定する。これにより、四本の受け部材２が架台脚１上に固定される。なお、水糸などを用いて、予め各架台脚１の各渡し部材１３が同一の高さに設置されているかを確認したうえで、受け部材２を取付けることも可能である。
【００８９】
工程７；栽培用ベッド取付け及び加工工程（ＳＴ７）
栽培用ベッド３を構成するベッド分体３０を一列に十二枚並べ、これをもう一列作り、二十四枚のベッド分体３０で栽培用ベッド３を作製する。このとき、ベッド分体３０の裏面に設けられた二本の溝部３０ａ、３０ａに受け軸体２を嵌入させる。これにより、栽培用ベッド３は、受け部材２を介して架台脚１上に取付けられる。また、栽培用ベッド３の列３Ａと列３Ｂの縁３０ｂ、３０ｂの一部を切り欠いて切欠き部３１を形成する。
【００９０】
工程８；シート被覆工程（ＳＴ８）
栽培用ベッド３を防水性のシートＳで被覆し、排水管３４を取付ける。
【００９１】
工程９；給水管と養液タンク設置工程（ＳＴ９）
養液タンク３２内に循環ポンプ３３を設置し、給水管３３０を通じ養液Ｙを栽培用ベッド３上に供給できるように給水ヘッド３３１を設置する。
【００９２】
このように、水耕栽培装置Ａは特別な基礎工事も不要であり、またネジで固定することで容易に組立てることができるので、個人で設置することができる。
【００９３】
以上のように、本発明の水耕栽培装置は、設置場所に適合したサイズ、あるいは所望する量を栽培するために必要な任意のサイズに容易に組立てることができると共に、分解してコンパクトに収容することで容易に持ち運んで移設することができるものとなっている。
【符号の説明】
【００９４】
１  架台脚
１２  脚部材
１３  渡し部材
１４  脚支持部材
１５  架台脚連設部材
２  受け部材
２０  受け部材分体
３  栽培用ベッド
３０  ベッド分体
Ｊ１、Ｊ２、Ｊ３、Ｊ４  ジョイント（継手）
【図１】
2020089282.tif 000003
【図２】
2020089282.tif 000004
【図３】
2020089282.tif 000005
【図４】
2020089282.tif 000006
【図５】
2020089282.tif 000007
【図６】
2020089282.tif 000008